(57)【要約】【課題】採水ホースやカメラケーブルをガス管内に挿入する際、コンパクトに構成して先端をガス管の軸心方向に沿って案内できる挿入装置を提供すること。【解決手段】挿入装置１０は、ガス管２に装着するガイドバルブ１５と、ガイドバルブ１５内に挿入する挿入治具２０とを備えている。挿入治具２０の先端に配置する先端ガイド管２１には、開口部２１２を有する開口管部２１１と、開口管部２１１の先端に装着する傾斜板部２１５とを一体的に形成する。傾斜板部２１５は、フレキシブル部材１１の先端を、ガス管２の略軸心方向に沿って進入できるように設定された角度を有する傾斜面２１６を形成する。また、開口管部２１１には、ストッパ管２６を外嵌固着してストッパ管２６の下面にガス管２の上面に当接するストッパ面２６１を形成する。【選択図】図１１
2008275072.tif 000002
【特許請求の範囲】
【請求項１】
ガス管内に長尺状のフレキシブル部材を挿入するための管内のフレキシブル部材挿入装置であって、
ガス管に装着する筒状のガイドバルブ体と、前記ガイドバルブ体内に挿入して前記フレキシブル部材を挿入可能に案内するフレキシブル部材挿入治具と、を備え、
前記フレキシブル部材挿入治具には、先端部に、前記フレキシブル部材の先端部を管内に案内するためのガイド部材と前記ガイド部材の上方位置にあって前記フレキシブル部材を前記ガス管内に案内する開口部とが配設され、
前記ガイド部材が前記フレキシブル部材の先端部と当接する面に傾斜面が形成され、前記傾斜面が、多種類の口径のガス管に対して、前記フレキシブル部材の先端部を前記ガス管の軸心方向に沿って進出できる角度に設定されていることを特徴とする管内のフレキシブル部材挿入装置。
【請求項２】
前記傾斜面の設定された角度が、前記ガス管が、配管用炭素鋼管（ＪＩＳ  Ｇ３４５２）における５０Ａ以上、またはガス用ポリエチレン管（ＪＩＳ  Ｋ６７７４）におけるＰＥ５０以上の場合で、２０度以上から３０度未満の範囲にあることを特徴とする請求項１記載の管内のフレキシブル部材挿入装置。
【請求項３】
前記フレキシブル部材挿入治具には、前記開口部の上方位置で前記ガス管の上面に当接するストッパ面が形成されていることを特徴とする請求項１又は２記載の管内のフレキシブル部材挿入装置。
【請求項４】
前記ガイドバルブ体に配設されるバルブ部材がボールバルブで構成されていることを特徴とする請求項１，２又は３記載の管内のフレキシブル部材挿入装置。
【請求項５】
一対の前記ガイドバルブ体が前記ガス管に並設されるとともに、前記フレキシブル部材が、一方が前記ガス管内の滞留水を採水可能な採水ホースであり、他方が前記ガス管内の滞留水を観察するカメラヘッド付きケーブルであり、前記採水ホースを挿入する第１の前記フレキシブル部材挿入治具と、前記カメラヘッド付きケーブルを挿入する第２の前記フレキシブル部材挿入治具とがそれぞれ前記ガイドバルブ内のいずれかに挿入されていることを特徴とする請求項１，２，３又は４のいずれかに記載の管内のフレキシブル部材挿入装置。                                                                                
【発明の詳細な説明】
【技術分野】
【０００１】
この発明は、ガス管内に溜まっている水をカメラで観察し、採水ホースで採水するためにカメラケーブルや採水ホースを挿入するための管内のフレキシブル部材挿入装置に関する。
【背景技術】
【０００２】
地中内に埋設されているガス管等には、地中内の水分が浸入して管内の一部に溜ることがある。ガス管内に水が溜るとガスが流れ難くなってガスの点火不良となる現象が生じていた。このために、管内に溜っている水(以下、滞留水という。)の位置を確認して採水する復旧工事が必要となっていた。従来においては、ガス管内に観察カメラを挿入して管内の滞留水を確認して採水ホースで採水することが、管内挿入装置として特許文献１によって開示されている。
【０００３】
これによると、図１５に示すように、管内挿入装置３０は、ガス管２に対して上方に向かって装着する分岐管継手３１と、筒体３３内の通路を開閉する切換え具３２を介して分岐管継手３１と接続する筒体３３と、筒体３３内を移動するケーシング３４とを備えて構成されている。ケーシング３４の先端には、屈曲された案内具３５が装着されている。ケーシング３４内には採水ホース４０が進退可能に装着されている。ケーシング３４を筒体３３内でガス管２に向かって進入させることによって採水ホース４０がガス管２内に挿入される。この際、採水ホース４０には観察カメラ４１が一体的に装着されていて、採水ホース４０をケーシング３４内で押し込むことによって、採水ホース４０の先端部が、ケーシング３４に内設された案内具３５に案内されて、ケーシング３４の軸方向からガス管２の軸心方向に沿って、ガス管２内に挿入されることとなっていた。
【特許文献１】特開２００２−６１７８７公報
【発明の開示】
【発明が解決しようとする課題】
【０００４】
しかし、特許文献１に示されている従来の管内挿入装置３０は、改良されるべき各種の課題が残されていた。例えば、ケーシング３４の先端に装着されている案内具３５は、ケーシング３４の下方移動とともに下方に移動するものの、案内具３５の先端部は、ガス管２の底面に衝突してその下方への移動を停止するから、ガス管２自体あるいは案内具３５自体を損傷させる要因となっていた。
【０００５】
また、この管内挿入装置３０で使用される採水ホース４０は観察カメラ４１を一体的に装着して口径の大きい本管で使用しているものであり、そのためガス管２にあける孔（穿孔）を大きくするとともに案内具３５自体も大きくなっていた。例えば、支管の場合、ＪＩＳ規格「ＪＩＳ  Ｇ３４５２」で定義されている５０Ａに使用する場合、このガス管の外径は約Φ６０．５ｍｍであり、採水ホースと一体的に形成された観察カメラ４１が約Φ４０ｍｍに形成されている。しかも採水ホースと一体的な観察カメラ４１は、ガス管の穿孔内に挿入された挿入治具内を挿通することから、例えば、ガス管の穿孔を少なくとも、挿入治具の案内具を通るように形成しなければならなかった。Φ６０．５ｍｍの外径に案内具を通るための穿孔を設けることは、実際にはガス管を切断する状態となり、特許文献１の管内挿入装置３０を支管で使用することはできなかった。従って、小口径のガス管に管内挿入装置を適用して滞留水を採水する場合には、それぞれの口径に合わせて専用の装置を製作しなければならなかった。
【０００６】
さらに、筒体３３内の通路を開閉する切換え具３２は、外形の大きいシャッタ３２１を使用することになる。この切換え具３２は、通常、ガス管にチェーンで強固に巻きつけられている。チェーンで強固に巻きつける際に、シャッタ３２１を変形させる虞があり、シャッタ３２１が変形することによってシャッタ３２１の開閉動作をし難くしていた。また、チェーンの巻き付けを緩くするとガス漏れが生じて、シャッタ３２１の介在自体を無用にしてしまうこととなっていた。
【課題を解決するための手段】
【０００７】
この発明は、上述の課題を解決するものであり、フレキシブル部材の挿入治具をコンパクトに形成して作業時間を大幅に低減させるとともに、１種類の装置で多種類の口径のガス管に使用でき、しかも採水ホース又はカメラヘッドを確実に管内の軸心方向に沿ってガス管内に進入できるフレキシブル部材の管内挿入装置を提供することを目的とする。そのために、以下のように構成するものである。すなわち、
請求項１記載の発明では、ガス管内に長尺状のフレキシブル部材を挿入するための管内のフレキシブル部材挿入装置であって、ガス管に装着する筒状のガイドバルブ体と、前記ガイドバルブ体内に挿入して前記フレキシブル部材を挿入可能に案内するフレキシブル部材挿入治具と、を備え、前記フレキシブル部材挿入治具には、先端部に、前記フレキシブル部材の先端部を管内に案内するためのガイド部材と前記ガイド部材の上方位置にあって前記フレキシブル部材を前記ガス管内に案内する開口部とが配設され、前記ガイド部材が前記フレキシブル部材の先端部と当接する面に傾斜面が形成され、前記傾斜面が、多種類の口径のガス管に対して、前記フレキシブル部材の先端部を前記ガス管の軸心方向に沿って進出できる角度に設定されていることを特徴とするものである。
【０００８】
請求項２記載の発明では、前記傾斜面の設定された角度が、前記ガス管が、配管用炭素鋼管（ＪＩＳ  Ｇ３４５２）における５０Ａ以上、またはガス用ポリエチレン管（ＪＩＳ  Ｋ６７７４）におけるＰＥ５０以上の場合で、２０度以上から３０度未満の範囲にあることを特徴としている。
【０００９】
請求項３記載の発明では、前記フレキシブル部材挿入治具には、前記開口部の上方位置で前記ガス管の上面に当接するストッパ面が形成されていることを特徴としている。
【００１０】
請求項４記載の発明では、前記ガイドバルブ体に配設されるバルブ部材がボールバルブで構成されていることを特徴としている。
【００１１】
請求項５記載の発明では、一対の前記ガイドバルブ体が前記ガス管に並設されるとともに、前記フレキシブル部材が、一方が前記ガス管内の滞留水を採水可能な採水ホースであり、他方が前記ガス管内の滞留水を観察するカメラヘッド付きケーブルであり、前記採水ホースを挿入する第１の前記フレキシブル部材挿入治具と、前記カメラヘッド付きケーブルを挿入する第２の前記フレキシブル部材挿入治具とがそれぞれ前記ガイドバルブ内のいずれかに挿入されていることを特徴としている。
【発明の効果】
【００１２】
本発明によれば、本願発明のフレキシブル部材挿入装置は、ガス管に装着するガイドバルブ体と、ガイドバルブ体内に挿入するフレキシブル部材挿入治具とを備えている。ガイドバルブ体をガス管に装着した後、フレキシブル部材挿入治具をガイドバルブ体内に挿入すると、フレキシブル部材挿入治具の先端部がガス管内に挿入される。この状態でフレキシブル部材をフレキシブル部材挿入治具内に挿入する。フレキシブル部材の先端部は、フレキシブル部材挿入治具のガイド部材に当接する。ガイド部材は所定の角度の傾斜面を形成していることから、フレキシブル部材をさらに押し込むことによって、その先端部はガイド部材の傾斜面に案内されて開口部を通ってガス管の略軸心方向に沿ってガス管内を進入する。
【００１３】
従って、本発明の管内のフレキシブル部材挿入装置は、多種類の口径のガス管であっても、フレキシブル部材を挿入した場合に、常に、ガス管の軸心方向に沿って案内することができることから、各口径のガス管に合わせて専用的に製作する必要はなく１種類で使用することができ、コストを低減するとともに作業の手間を大幅に低減することができる。
【００１４】
フレキシブル部材が、例えば、カメラヘッド付きケーブルであれば、ガス管内の滞留水を観察してその位置を、例えば、ＴＶモニタで観察できるようにする。また、フレキシブル部材が、例えば、採水ホースであれば、採水ホースの採水トップで採水して管内の滞留水を除去する。
【００１５】
この際、所定の角度に設定されたガイド部材の傾斜面は、フレキシブル部材の先端部がガイド部材の傾斜面に当接した後、フレキシブル部材の先端部がガス管の底面に向かったまま移動しない方向、またはフレキシブル部材の先端部がガイド部材に当接したまま留まってガス管内を進入しない方向には案内しない角度である。つまり、フレキシブル部材の先端部がガイド部材の傾斜面に当接した後、ガス管の略軸心方向に向かうことができる角度に設定されている。
【００１６】
この角度は多種類の口径のガス管にかかわらず設定できるものであり、例えば、ガス管の口径が配管用炭素鋼管５０Ａ（ＪＩＳ  Ｇ３４５２）以上、またはガス用ポリエチレン管ＰＥ５０（ＪＩＳ  Ｋ６７７４）以上の範囲内で、２０度以上〜３０度未満(好ましくは２６度)に設定されている。この角度は本出願人の実験結果によるものである。
【００１７】
これによって、フレキシブル部材は、ガス管の略軸心方向に沿ってガス管内を進入することができ、例えば、ガス管内の滞留水を採水できる。しかも、各種の大きさのガス管に使用できることから、専用的に使用することなく汎用装置として管内のフレキシブル挿入装置を製作することができる。
【００１８】
また本発明では、フレキシブル部材挿入治具の先端部にガス管の上面と接するストッパ面を形成することによって、ガイド部材をガス管の底面に衝突することを防止している。
【００１９】
また、ガイドバルブ体を構成するバルブ部材を、ボールの回転で管内の通路を開閉できるボールバルブを使用することによって、コンパクトに構成できるとともにバルブの開閉操作性を向上することができる。
【００２０】
さらに、本発明のフレキシブル部材挿入装置を、ガス管に対して２箇所に並設する。一方のフレキシブル部材挿入装置にフレキシブル部材として採水ホースを挿入し、他方のフレキシブル部材挿入装置にフレキシブル部材としてカメラヘッド付きケーブルを挿入する。カメラケーブルと採水ホースとを別々に挿入することによって、ガス管に明ける孔の大きさを小さくすることができる。そのため装置をコンパクトに構成でき、また、多種類の大きさのガス管に使用することができる。
【発明を実施するための最良の形態】
【００２１】
以下、この発明の管内のフレキシブル部材挿入装置（以下、単に挿入装置という。）の一実施形態を図面に基づいて説明する。
【００２２】
図１に示すように、地中１内に埋設されているガス管２には一部に滞留水３があり、その付近を掘削し、掘削した穴に現れたガス管２に、二分割して装着されたクランプ部材９を介して一対の挿入装置１０を並設する。一方の挿入装置１０Ａには先端に採水トップ１２Ａを備えた採水ホース１１Ａ（フレキシブル部材１１)が挿入され、採水ホース１１Ａの他端は採水ドラム４、採水ポンプ５を介して採水タンク６に接続されている。他方の挿入装置１０Ｂには先端にカメラヘッド１２Ｂを備えたカメラケーブル１１Ｂ（フレキシブル部材１１）が挿入され、カメラケーブ１１Ｂの他端はＴＶモニタ７に接続されている。
【００２３】
挿入装置１０Ａに採水ホース１１Ａを挿入し、挿入装置１０Ｂにカメラケーブル１１Ｂを挿入していずれも滞留水３付近まで進入させた後、カメラヘッド１２Ｂで滞留水３を確認してＴＶモニタ７で表示し、採水トップ１２Ａで滞留水３を採水することになる。
【００２４】
次に挿入装置１０の構成について説明する。なお、以下の説明においては、挿入装置１０Ａと挿入装置１０Ｂとは同一の構成をしていることから、各部位については同一の符号を付記し、必要に応じて符号の後にＡ又はＢを付記するものとする。
【００２５】
挿入装置１０は、図２〜９に示すように、ガス管２に装着したクランプ部材９に一端を螺合するガイドバルブ体（以下、ガイドバルブという。）１５と、ガイドバルブ１５内に挿入される挿入治具２０とを備えて構成されている。ガイドバルブ１５は、ガス管２の軸心に対して直交する方向に装着されるとともに、ガイドバルブ１５の管内を開閉するバルブ１６と挿入治具２０を挿入ガイドするガイド部１７とを備えている。
【００２６】
バルブ１６は、本形態においてはボールバルブが使用されている。つまり、図８に示すように、筒状に形成されたハウジング１６１内にレバー１６２によって回動可能なボール部１６３を備えている。ボール部１６３には一方の方向に通路１６３ａが形成され、通路１６３ａが、レバー１６２の操作によってハウジング１６１に形成された通路１６１ａと連通する位置と、通路１６１ａと直交する位置とに回動可能にハウジング１６１に内嵌されている。ボール部１６３の通路１６３ａがハウジング１６１の通路１６１ａと連通したときに挿入治具２０がバルブ１６内を挿通することになり、バルブ１６内を挿通した挿入治具２０に、採水ホース１１Ａ又はカメラケーブル１１Ｂが挿通されることになる。
【００２７】
ガイド部１７は、バルブ１６の下方に、クランプ部材９に螺合する筒状のクランプ取付部１７１とバルブ１６に取付ける筒状の下部バルブ取付部１７２が配置され、バルブ１６の上方に、バルブ１６に取付ける筒状の上部バルブ取付部１７３と挿入治具２０を挿入案内する筒状の挿入治具案内部１７４とを備えている。挿入治具案内部１７４の上部に挿入口１７５を装着している。
【００２８】
挿入口１７５には、テーパ状の口部にゴムパッキン１７６が係合されて、挿入治具案内部１７４に挿入された挿入治具２０の外周面を覆い、ナット部材１７７で締めこむことによってガイドバルブ１５と挿入治具２０との間の気密を保持する。
【００２９】
挿入治具２０は、ガス管２内に挿入される先端ガイド管２１と、筒状に形成されて採水ホース１１Ａ又はカメラケーブル１１Ｂを挿入案内する長尺状ガイド管２２と、継手２４を介して長尺状ガイド管２２の上端部に配置される密封円筒管２３とを備えている。密封円筒管２３内には、スポンジ部材２５が詰め込まれてガス漏れを防止している。
【００３０】
先端ガイド管２１は、図４〜７に示すように、円管部材の側面一部を切り欠いて開口部２１２を有する開口管部２１１と開口管部２１１の開口先端部に設けたガイド板（以下、傾斜板部という。）２１５と、開口管部２１１の上部を覆うストッパ管２６を有して形成されている。開口管部２１１は、開口部２１２が形成されていない円管部２１３を備え、円管部２１３にストッパ管２６が外嵌固着されている。ストッパ管２６の下面がガス管２に当接するストッパ面２６１として形成されている。
【００３１】
傾斜板部２１５は、フレキシブル部材１１を挿入治具２０内に挿入したときに、フレキシブル部材１１の先端部が当接して、ガス管２内の軸心方向に案内できる傾斜面２１６を有している。この傾斜面２１６は、実施形態の場合、ガス管２の口径が、配管用炭素鋼管５０Ａ（ＪＩＳ  Ｇ３４５２）以上、またはガス用ポリエチレン管ＰＥ５０（ＪＩＳ  Ｋ６７７４）以上の範囲内で、２０度以上〜３０度未満(好ましくは２６度)に設定されている。この角度は本出願人が口径の異なる各ガス管を使用して実験した結果、最適な角度として設定されたものである。
【００３２】
上記の挿入装置１０は、図９に示すように、挿入治具２０をガイドバルブ１５内に挿入することによって構成される。つまり、クランプ部材９をガス管２に装着してガス管２に孔２ａを明けた後、クランプ部材９に装着されたガイドバルブ１５に挿入治具２０を挿入して構成される。この際、挿入治具２０の先端ガイド管２１のストッパ面２６１がガス管２の上面位置に当接すると、図１０に示すように、傾斜板部２１５がガス管２の底面に衝突しない位置にガス管２内に挿入される。そして傾斜角度２６度に設定された傾斜面２１６を有する傾斜板部２１５は、図１１に示すように、フレキシブル部材１１をガス管２の略軸心方向に沿って案内することとなる。
【００３３】
なお、実施形態においては、ガス管２に穿孔する穿孔径は、約Φ３０ｍｍであり、先端ガイド管２１の先端部の外径をΦ３０ｍｍ以下に形成している。そして、挿入治具２０の先端ガイド管２１のストッパ面２６１をガス管２の上面位置に当接させると、ガス管２が小口径である配管用炭素鋼管５０Ａ、又はガス用ポリエチレン管ＰＥ５０の場合では、挿入治具２０の先端ガイド管２１はガス管２の底面に衝突することがないように先端ガイド管２１を形成することができる。また、配管用炭素鋼管５０Ａ以上、又はガス用ポリエチレン管ＰＥ５０以上の大口径の場合では、ガス管２の管厚が厚く、ガス管２内に挿入される先端ガイド管２１の開口部２１２の長さが短くなってもフレキシブルホース１１が開口部２１２を通って通り抜けできるように形成することができる。
【００３４】
また、先端ガイド管２１の傾斜板部２１５の傾斜角度が３０度以上であると、図１２に示すように、フレキシブル部材１１の先端部がガス管２の底面に衝突してガス管２の軸心方向には案内されず、また、２０度未満であると、図１３に示すように、フレキシブル部材１１の先端部が傾斜板部２１５上に留まってしまい、やはりガス管２の軸心方向には案内されない（本出願人による実験結果による）。
【００３５】
また、ガス管２に取付けるクランプ部材９は、ガス管２が小口径である支管の場合、ガス管２を挟んで二分割されたもので構成されている。この二分割したクランプ部材９では、ガス管２の全周を平均的に支持することから一部が変形することはない。図１４に示すように、ガス管２が大口径である本管２Ａの場合、図１４に示すように、本管２の上部にクランプ部材９Ａを装着し、クランプ部材９Ａの両端に形成された係止部９１にチェーン９２を係止して本管２Ａの下部を巻装するように装着している。
【００３６】
次に、上記のように構成された挿入装置１０に採水ホース１１Ａとカメラケーブル１１Ｂを挿入してガス管２の滞留水を採水する工法について説明する。
【００３７】
まず、ガス管２（支管で説明）の滞留水３のある付近を掘削してガス管２にクランプ部材９を装着する。クランプ部材９の開口された部分から図示しない穿孔機で孔２ａを明ける。穿孔後に、ガスの噴出を防ぐために図示しないビニールバッグ等を取付けて穿孔機を取外す。ビニールバッグを取付けた状態でガイドバルブ１５をクランプ部材９に螺合する。この際、ガイドバルブ１５のレバー１６２を９０度回転させてハウジング１６１の通路とボール部１６３の通路１６３ａを遮断させることによってバルブ１６を閉じた後、ビニールバッグを取外す。
【００３８】
ガス管２に装着したガイドバルブ１５に挿入治具２０を挿入する。この際、ガイドバルブ１５のレバー１６２を戻してハウジング１６１の通路１６１ａとボール部１６３の通路１６３ａを連通させる（図８の状態）ことによってバルブ１６を開ける。そして、挿入治具２０の先端ガイド管２１をガス管２内に挿入して、ストッパ面２６１をガス管２の上面に当接する。すると、先端ガイド管２１の開口部２１２及び傾斜板部２１５は、ガス管２内の底面に衝突しない位置に挿入される。
【００３９】
そして、上記の作業を、ガス管２の軸方向に沿って２箇所で行う。これによって、採水ホース１１Ａを挿入する挿入装置１０Ａとカメラケーブル１１Ｂを挿入する挿入装置１０Ｂをガス管２に設置することができる。
【００４０】
次に、採水ホース１１Ａを挿入装置１０Ａに挿入し、カメラケーブル１１Ｂを挿入装置１０Ｂに挿入する。採水ホース１１Ａの採水トップ１２Ａが傾斜板部２１５に当接すると、採水トップ１２Ａは、ガス管２の軸心方向に沿って開口部２１２からガス管２内に進入する。カメラヘッド１２Ｂで滞留水３の有無を確認したうえで、採水ホース１１Ａで滞留水３を採水する。
【００４１】
なお、挿入治具２０の開口部２１２及び傾斜板部２１５を一方の方向に向けて滞留水３を採水した後、開口部２１２及び傾斜板部２１５をガス管２内で逆方向に向けて逆方向において滞留水３を確認してもよい。この場合、開口部２１２及び傾斜板部２１５を逆方向に向ける前に、採水ホース１１Ａの採水トップ１２Ａをガス管２から抜け出る位置まで引き上げ、カメラケーブル１１Ｂのカメラヘッド１２Ｂをガス管２から抜け出る位置まで引き上げる。そしてそれぞれの挿入治具２０Ａ、２０Ｂを１８０度回転させて、逆方向への滞留水の確認及び採水を同様の作用で行うことになる。
【００４２】
採水トップ１２Ａによる採水作業が終了すると、挿入治具１０Ａより採水ホース１２Ａを引き抜き、挿入治具１０Ｂよりカメラケーブル１２Ｂを引き抜く。採水ホース１２Ａとカメラケーブル１２Ｂを引き抜いた後、前述と逆の手順で、それぞれの挿入治具２０及びガイドバルブ体１５を取外す。そして埋め戻しを行う。
【００４３】
上述のように、実施形態の挿入装置１０では、採水ホース１１Ａを挿入する挿入装置１０Ａとカメラケーブル１１Ｂを挿入する挿入装置１０Ｂとをガス管２に対して別々に装着してそれぞれ挿入できるようにしたことから、挿入装置１０自体をコンパクトに構成することができる。そのため、ガス管２の穿孔を小さくすることができ、それによって、ガス管２の口径が異なるものであっても、１種類の挿入装置１０でガス管２の復旧工事を行うことが可能となる。従って、部品点数も削減できて設備費用を大幅に削減することができる。
【００４４】
また、ガイドバルブ１５に使用するバルブ１６を、従来使用していたシャッタ付の切換え具からボールバルブに切り替えることによって、開閉操作を簡易にすることができるとともにコンパクトに構成することができる。
【００４５】
さらに、先端ガイド管２１を構成する傾斜板部２１５の傾斜角度を、現在使用している異なる口径のガス管２の略全種類にわたって使用できる角度（２０度以上〜３０度未満）に形成することから、１種類の挿入装置１０で汎用的に使用することができる。これによって、部品点数を削減することができ、持ち運びを容易にすることができる。
【００４６】
なお、本発明の管内のフレキシブル部材挿入装置では、上記の形態に限定するものではない。例えば、挿入治具１０内に挿入するフレキシブル部材は、採水ホース１１Ａやカメラケーブル１１Ｂでなくてもよく、別の目的で使用するためにガス管２内に挿入するフレキシブル部材であれば本挿入装置１０を適用することができる。
【図面の簡単な説明】
【００４７】
【図１】本発明の一形態による挿入装置をガス管に装着した状態を示す全体図である。
【図２】図１における挿入装置のガイドバルブ体を示す組み付け断面図である。
【図３】図１における挿入装置の挿入治具を示す組み付け断面図である。
【図４】図３における先端ガイド管を示す斜視図である。
【図５】図４における先端ガイド管を示す断面図である。
【図６】図４における先端ガイド管の傾斜板部を示す正面図である。
【図７】図４における先端ガイド管の傾斜板部を示す側面図である。
【図８】図２におけるガイドバルブ体のボールバルブを示す断面図である。
【図９】ガイドバルブ体に挿入治具を挿入した挿入装置を示す断面図である。
【図１０】ガス管内に挿入した先端ガイド管を示す一部側面断面図である。
【図１１】同正面断面図である。
【図１２】フレキシブル部材の先端部がガス管の底面に衝突した状態を示す正面断面図である。
【図１３】フレキシブル部材の先端部が傾斜板部に留まった状態を示す正面断面図である。
【図１４】クランプ部材をチェーンでガス管に巻き付けた状態を示す正面図である。
【図１５】従来の管内挿入装置を示す断面図である。
【符号の説明】
【００４８】
１、地中
２、ガス管
３、滞留水
９、クランプ部材
１０、挿入装置
１１Ａ、採水ホース
１１Ｂ、カメラケーブル
１２Ａ、採水トップ
１２Ｂ、カメラヘッド
１５、ガイドバルブ（ガイドバルブ体）
１６、バルブ
１７、ガイド部
２０、挿入治具
２１、先端ガイド管
２１１、開口管部
２１２、開口部
２１５、傾斜板部
２１６、傾斜面
２６、ストッパ管
２６１、ストッパ面
【図１】
2008275072.tif 000003
【図２】
2008275072.tif 000004
【図３】
2008275072.tif 000005
【図４】
2008275072.tif 000006
【図５】
2008275072.tif 000007
【図６】
2008275072.tif 000008
【図７】
2008275072.tif 000009
【図８】
2008275072.tif 000010
【図９】
2008275072.tif 000011
【図１０】
2008275072.tif 000012
【図１１】
2008275072.tif 000013
【図１２】
2008275072.tif 000014
【図１３】
2008275072.tif 000015
【図１４】
2008275072.tif 000016
【図１５】
2008275072.tif 000017